(57)【要約】【課題】居住空間などで使用される除湿装置において、除湿性能向上を目的とする。【解決手段】吸熱器９と、熱交換器４の第２熱交換風路１５と、放熱器７と、送風機５とは、送風機５の水平方向に延びる回転軸２８上に配置されている。吸熱器９と熱交換器４との下方には、第１熱交換風路１４と吸熱器９を連通する除湿経路２１の一部となる椀形状の水受け手段２２を設けている。水受け手段２２の上面から吸熱器９側へ突出した複数の第１の風向板２６を有し、複数の第１の風向板２６は、吸熱器９の下方から除湿経路２１における風下方向へ延び、送風機５の回転軸２８を含み鉛直方向に延びる面に対して実質的に対称に配置された第１の一方側風向板２６ａと第１の他方側風向板２６ｂとを有することにより、除湿性能を向上した除湿装置を得られる。【選択図】図４
2020121250.tif 000002
【特許請求の範囲】
【請求項１】
空気吸込口と空気吹出口を有する本体ケースと、
圧縮機と放熱器と膨張器と吸熱器とを順に連結した冷凍サイクルと、
前記空気吸込口から吸い込んだ前記本体ケース外の空気を、前記冷凍サイクルを通過させた後に前記空気吹出口から前記本体ケース外に吹き出す送風機と、
第１熱交換風路を流れる空気と第２熱交換風路を流れる空気とを熱交換する熱交換器と、
前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、を備え、
前記吸熱器と、前記熱交換器の前記第２熱交換風路と、前記放熱器と、前記送風機とは、
前記送風機の水平方向に延びる回転軸上に配置され、
前記吸熱器と前記熱交換器との下方には、前記第１熱交換風路と前記吸熱器を連通する前記除湿経路の一部となる椀形状の水受け手段を設け、
前記水受け手段の上面から前記吸熱器側へ突出した複数の第１の風向板を有し、
複数の前記第１の風向板は、前記吸熱器の下方から前記除湿経路における風下方向へ延び、
前記水受け手段の上面において、前記送風機の前記回転軸を含み鉛直方向に延びる面を境に、一方側に配置された第１の一方側風向板と、他方側に配置された第１の他方側風向板とを有することを特徴とした除湿装置。
【請求項２】
前記第１の一方側風向板と前記第１の他方側風向板とは、前記送風機の前記回転軸を含み鉛直方向に延びる面に対して対称に配置されたことを特徴とした請求項１に記載の除湿装置。
【請求項３】
前記空気吸込口は、第１の空気吸込口と第２の空気吸込口とを有し、
前記第１の空気吸込口と前記第２の空気吸込口とは、前記送風機の前記回転軸を含み鉛直方向に延びる面に対して対向した前記本体ケースの両側面に配置されたことを特徴とした請求項１または２に記載の除湿装置。
【請求項４】
前記水受け手段の上方であり、前記吸熱器と前記本体ケースとの間には、前記第１熱交換風路と前記吸熱器を連通する前記除湿経路の一部となる風路カバーが配置され、
前記風路カバーの前記吸熱器側の面には、前記吸熱器側へ突出した複数の第２の風向板を有し、
複数の前記第２の風向板は、前記第１の風向板の上端から前記除湿経路における風下方向へ延び、複数の前記第１の風向板の延長線上に配置されることを特徴とした請求項１から３のいずれかに記載の除湿装置。
【請求項５】
複数の前記第１の風向板は、前記水受け手段の上面から上方へ突出し、
複数の前記第１の風向板の上端部は、前記吸熱器の下端部に接触することを特徴とした請求項１から３のいずれかに記載の除湿装置。
【請求項６】
前記水受け手段の上方であり、前記吸熱器と前記本体ケースとの間には、前記第１熱交換風路と前記吸熱器を連通する前記除湿経路の一部となる風路カバーが配置され、
前記風路カバーの前記吸熱器側の面には、前記吸熱器側へ突出した複数の第２の風向板を有し、
複数の前記第２の風向板は、前記第１の風向板の上端から前記除湿経路における風下方向へ延び、複数の前記第１の風向板の延長線上に配置されることを特徴とした請求項５に記載の除湿装置。
【発明の詳細な説明】
【技術分野】
【０００１】
本発明は、居住空間などに用いられる除湿装置に関するものである。
【背景技術】
【０００２】
従来、この種の除湿装置は、空気吸込口と空気吹出口とを有する本体ケースと、この本体ケース内に設けられたヒートポンプ装置と熱交換器とを備えている。
【０００３】
ヒートポンプ装置は、圧縮機、放熱器、膨張部、吸熱器により形成され、空気吸込口から吸気した第１の空気が熱交換器内の第１の風路を流れて第２の空気となり、第２の空気が吹出口に向かって熱交換部内の第２の風路を流れて第１の空気と第２の空気とが熱交換を行う。
【０００４】
空気吸込口から熱交換器の第１の風路、吸熱器、熱交換器の第２の風路、放熱器を経て空気吹出口までの除湿風路内に送風部が備えられていた。（例えば、特許文献１参照）。
【先行技術文献】
【特許文献】
【０００５】
【特許文献１】特開２００５−２１４５３３号公報
【発明の概要】
【発明が解決しようとする課題】
【０００６】
このような除湿装置では、送風部の形状のため、熱交換器全体に均一に通風することが難しいという課題を有していた。
【０００７】
そこで本発明は、上記従来の課題を解決するものであり、除湿性能を向上した除湿装置を提供することを目的とする。
【課題を解決するための手段】
【０００８】
そして、この目的を達成するために、本発明に係る除湿装置は、空気吸込口と空気吹出口を有する本体ケースと、圧縮機と放熱器と膨張器と吸熱器とを順に連結した冷凍サイクルと、前記空気吸込口から吸い込んだ前記本体ケース外の空気を、前記冷凍サイクルを通過させた後に前記空気吹出口から前記本体ケース外に吹き出す送風機と、第１熱交換風路を流れる空気と第２熱交換風路を流れる空気とを熱交換する熱交換器と、前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、を備え、前記吸熱器と、前記熱交換器の前記第２熱交換風路と、前記放熱器と、前記送風機とは、前記送風機の水平方向に延びる回転軸上に配置され、前記吸熱器と前記熱交換器との下方には、前記第１熱交換風路と前記吸熱器を連通する前記除湿経路の一部となる椀形状の水受け手段を設け、前記水受け手段の上面から前記吸熱器側へ突出した複数の第１の風向板を有し、複数の前記第１の風向板は、前記吸熱器の下方から前記除湿経路における風下方向へ延び、前記水受け手段の上面において、前記送風機の前記回転軸を含み鉛直方向に延びる面を境に、一方側に配置された第１の一方側風向板と、他方側に配置された第１の他方側風向板とを有することを特徴としたものであり、これにより所期の目的を達成するものである。
【発明の効果】
【０００９】
本発明によれば、空気吸込口と空気吹出口を有する本体ケースと、圧縮機と放熱器と膨張器と吸熱器とを順に連結した冷凍サイクルと、前記空気吸込口から吸い込んだ前記本体ケース外の空気を、前記冷凍サイクルを通過させた後に前記空気吹出口から前記本体ケース外に吹き出す送風機と、第１熱交換風路を流れる空気と第２熱交換風路を流れる空気とを熱交換する熱交換器と、前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、を備え、前記吸熱器と、前記熱交換器の前記第２熱交換風路と、前記放熱器と、前記送風機とは、前記送風機の水平方向に延びる回転軸上に配置され、前記吸熱器と前記熱交換器との下方には、前記第１熱交換風路と前記吸熱器を連通する前記除湿経路の一部となる椀形状の水受け手段を設け、前記水受け手段の上面から前記吸熱器側へ突出した複数の第１の風向板を有し、複数の前記第１の風向板は、前記吸熱器の下方から前記除湿経路における風下方向へ延び、前記水受け手段の上面において、前記送風機の前記回転軸を含み鉛直方向に延びる面を境に、一方側に配置された第１の一方側風向板と、他方側に配置された第１の他方側風向板とを有することを特徴としたことにより、熱交換器を通った風が分割されることで、風が中央領域によらないため、熱交換器全体に均一に通風することができ、結果として、除湿性能を向上させることができる。
【図面の簡単な説明】
【００１０】
【図１】本発明の実施の形態１の除湿装置の外観図
【図２】同除湿装置のＡ−Ａ断面の概略を示す断面図
【図３】同除湿装置の熱交換器の構成を示す概略図
【図４】同除湿装置のＢ−Ｂ断面の概略を示す断面図
【図５】本発明の実施の形態２を示す除湿装置の断面図
【図６】同除湿装置のＣ−Ｃ断面の概略を示す断面図
【発明を実施するための形態】
【００１１】
本発明に係る除湿装置は、空気吸込口と空気吹出口を有する本体ケースと、圧縮機と放熱器と膨張器と吸熱器とを順に連結した冷凍サイクルと、前記空気吸込口から吸い込んだ前記本体ケース外の空気を、前記冷凍サイクルを通過させた後に前記空気吹出口から前記本体ケース外に吹き出す送風機と、第１熱交換風路を流れる空気と第２熱交換風路を流れる空気とを熱交換する熱交換器と、前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、を備え、前記吸熱器と、前記熱交換器の前記第２熱交換風路と、前記放熱器と、前記送風機とは、前記送風機の水平方向に延びる回転軸上に配置され、前記吸熱器と前記熱交換器との下方には、前記第１熱交換風路と前記吸熱器を連通する前記除湿経路の一部となる椀形状の水受け手段を設け、前記水受け手段の上面から前記吸熱器側へ突出した複数の第１の風向板を有し、複数の前記第１の風向板は、前記吸熱器の下方から前記除湿経路における風下方向へ延び、前記水受け手段の上面において、前記送風機の前記回転軸を含み鉛直方向に延びる面を境に、一方側に配置された第１の一方側風向板と、他方側に配置された第１の他方側風向板とを有する。
【００１２】
これにより、熱交換器を通過した風が第１の風向板により分割されることで、風は中央領域によらず、熱交換器全体に均一に通風することができ、結果として、除湿性能を向上させることができる。
【００１３】
また、前記第１の一方側風向板と前記第１の他方側風向板とは、前記送風機の前記回転軸を含み鉛直方向に延びる面に対して対称に配置してもよい。
【００１４】
これにより、第１の一方側風向板より外側を流れる風量と、第１の他方側風向板より外側を流れる風量とが同程度となる。熱交換器全体に均一に通風することができ、結果として、除湿性能を向上させることができる。
【００１５】
また、前記空気吸込口は、第１の空気吸込口と第２の空気吸込口とを有し、前記第１の空気吸込口と前記第２の空気吸込口とは、前記送風機の前記回転軸を含み鉛直方向に延びる面に対して対向した前記本体ケースの両側面に配置してもよい。
【００１６】
これにより、空気は吸込まれた吸込口側に流れやすくなるため、第２の熱交換気風路の中央の領域の風量の増加を抑えることができ、熱交換器全体に均一に通風することができ、結果として、除湿性能を向上させることができる。
【００１７】
また、前記水受け手段の上方であり、前記吸熱器と前記本体ケースとの間には、前記第１熱交換風路と前記吸熱器を連通する前記除湿経路の一部となる風路カバーが配置され、前記風路カバーの前記吸熱器側の面には、前記吸熱器側へ突出した複数の第２の風向板を有し、複数の前記第２の風向板は、前記第１の風向板の上端から前記除湿経路における風下方向へ延び、複数の前記第１の風向板の延長線上に配置してもいい。
【００１８】
これにより、第１の風向板を通過し分割された風が第２の風向板を通過することで、風が中央領域に集中せず、外側の領域の風量を増加させることができる。そのため、吸熱器全体に通風させることができ、熱収支のバランスが向上させることができ、結果として除湿性能を向上させることができる。
【００１９】
また、複数の前記第１の風向板は、前記水受け手段の上面から上方へ突出し、複数の前記第１の風向板の上端部は、前記吸熱器の下端部に接触してもいい。
【００２０】
これにより、吸熱器で結露した水が第１の風向板を伝うことで、風の流れを遮ることなく、結露水をドレンパンに誘導することができ、結果として、結露水が流れやすくなる。
【００２１】
また、前記水受け手段の上方であり、前記吸熱器と前記本体ケースとの間には、前記第１熱交換風路と前記吸熱器を連通する前記除湿経路の一部となる風路カバーが配置され、前記風路カバーの前記吸熱器側の面には、前記吸熱器側へ突出した複数の第２の風向板を有し、複数の前記第２の風向板は、前記第１の風向板の上端から前記除湿経路における風下方向へ延び、複数の前記第１の風向板の延長線上に配置してもいい。
【００２２】
これにより、第１の風向板を通過し分割された風が第２の風向板を通ることで、風が中央領域に集中することを防ぎ、外側の領域の風量を増加させることができる。そのため、吸熱器全体に通風させることができるため、熱収支のバランスが向上し、結果として、除湿性能を向上させることができる。
【００２３】
以下、本発明の実施の形態について図面を参照しながら説明する。
【００２４】
（実施の形態１）
図１は、本実施の形態１の除湿装置の外観図であり、図２は、図１内のＡ−Ａ断面における概略を示す断面図である。
【００２５】
図１、２に示すように、除湿装置の本体ケース１は箱形状で、左右の側面には空気吸込口２を備え、天面の前面側には空気吹出口３を有している。
【００２６】
本体ケース１内には、冷凍サイクルと、熱交換器４と、送風機５とを備えている。
【００２７】
冷凍サイクルは、圧縮機６、放熱器７、膨張器８としてキャピラリーチューブ、吸熱器９とからなり、これらを、この順に冷媒配管１０で接続して形成している。この吸熱器９で除湿対象となる空気を冷却除湿するものである。放熱器７と吸熱器９とは、対向して配置されている。放熱器７は、本体ケース１における前面側に配置され、吸熱器９は、本体ケース１における背面側に配置されている。
【００２８】
図３は、熱交換器４の構成を示す概略図である。図２、３に示すように、熱交換器４は、伝熱板Ａ１１および伝熱板Ｂ１２を交互に積層することにより構成されており、それぞれの伝熱板には、積層した際に風路が構成できるようにリブ１３が設けられている。そして、鉛直方向に流れる第１熱交換風路１４と、水平に流れる第２熱交換風路１５とを構成し、この風路間でそれぞれの伝熱板を介して熱交換を行っている。熱交換器４は、伝熱板を積層した状態で下面が傾斜した立方体となり、放熱器７と吸熱器９との間で、吸熱器９から放熱器７への風路中に設けられている。
【００２９】
送風機５は、スクロール形状のケーシング部１６と、このケーシング部１６に固定されたモータ部１７と、このモータ部１７によって回転する羽根部１８とから形成している。ケーシング部１６は、吸込口１９と吐出口２０とを備えている。この吸込口１９は、放熱器７に対向している。吸熱器９と、熱交換器４の第２熱交換風路１５と、放熱器７と、送風機５とは、水平方向に一直線上に配置されている。すなわち、吸熱器９と、熱交換器４と、放熱器７と、吸込口１９とは、一直線上に風路を有するものである。
【００３０】
送風機５によって、矢印に示すように、空気吸込口２からに吸気した空気は、熱交換器４の第１熱交換風路１４へ流入して、すでに吸熱器９により冷却除湿された空気と熱交換して予冷されたのち、吸熱器９における熱交換器４の底面より下方に突出した部分を通過し、その後風向を反転させ、さらに吸熱器９の残りの部分を通って冷却除湿される。なお、熱交換器４の底面より下方に突出した部分は通過せず、吸熱器９に一度のみ通過する風路もある。また、吸熱器９は、熱交換器４の底面から突出させず、吸熱器９の下端と熱交換器４の底面の上端とを同じ高さにしてもよい。
【００３１】
冷却除湿された空気は熱交換器４の第２熱交換風路１５に流入し空気吸込口２から吸気した空気によって加熱され、放熱器７でさらに加熱され、送風機５によって機外に送風される。上記風路が、除湿を行う除湿経路２１となる。
【００３２】
熱交換器４および吸熱器９の下方には、水受け手段２２が設置されている。水受け手段２２には、熱交換器４の第１熱交換風路１４および吸熱器９に生成される結露水が滴下する。すなわち、空気吸込口２から流入した空気が熱交換器４にて予冷される段階で、第１熱交換風路１４内で水分が結露して水滴となって滴下することがあるが、熱交換器４の下方に除湿経路２１を兼ねた水受け手段２２を配置して結露水を受ける構造となっている。
【００３３】
また、本体ケース１内の水受け手段２２の下部には、結露水を貯水するタンク２４を備え、水受け手段２２に設けた、たまった水滴をタンク２４に導出するドレン孔２５を通って、除湿水はタンク２４に回収される。
【００３４】
また、吸熱器９における熱交換器４の反対側（本体ケース１の空気吸込口２側）で、水受け手段２２の上方には、風路カバー２３を設ける。水受け手段２２と風路カバー２３は、除湿経路２１における熱交換器４の第１熱交換風路１４から吸熱器９までの風路の一部である。
【００３５】
図２は、図１内のＡ−Ａ断面に本発明の特徴の概略を追加した断面図であり、図４は、図２内のＢ−Ｂ断面における概略を示す断面図である。
【００３６】
図２に示すように、吸熱器９と、熱交換器４の第２熱交換風路１５と、放熱器７と、送風機５とは、送風機５の水平方向に延びる回転軸上に配置されている。吸熱器９と、熱交換器４の第２熱交換風路１５と、放熱器７との左右方向における中央は、送風機５の吸込口１９の中央（送風機５の回転軸上）に配置される。吸熱器９と熱交換器４との下方には、第１熱交換風路１４と吸熱器９を連通する除湿経路２１の一部となる椀形状の水受け手段２２を設けている。なお、送風機５の水平方向に延びる回転軸は、本体ケース１における前後方向に延びている。
【００３７】
除湿経路２１内の空気は、最終的には、送風機５の吸込口１９から吸い込まれる。このため、送風機５の吸込口１９の中心軸上（送風機５の回転軸上）の風路を通過する空気が多くなる。図２に示すとおり、吸熱器９の左右方向における中央は、送風機５の吸込口１９の中央（送風機５の回転軸上）に配置される。そのため、吸熱器９、熱交換器４の第２熱交換風路１５、放熱器７は中央の領域の風量が多くなる。除湿経路２１において、熱交換器４の第２熱交換風路１５は、熱交換器４の冷却を行うが、風量ムラがあると、熱交換器４に温度ムラが発生し、熱交換器４の第１熱交換風路１４で十分に冷えない領域が発生する場合がある。
【００３８】
そこで、本実施形態における特徴は、図２および図４に示すように、椀形状の水受け手段２２の上面（内面）から吸熱器９側へ突出した複数の第１の風向板２６を有している点である。複数の第１の風向板２６は、水受け手段の上面において、送風機の回転軸を含み鉛直方向に延びる面を境に一方側に配置された第１の一方側風向板と、水受け手段の上面において、送風機の回転軸を含み鉛直方向に延びる面を境に他方側に配置された第１の他方側風向板とを有している。具体的には、第１の一方側風向板２６ａは、本体ケース１の前面側から見て、送風機５の回転軸２８を含み鉛直方向に延びる面より右側に配置され、第１の他方側風向板２６ｂは、本体ケース１の前面側から見て、送風機５の回転軸２８を含み鉛直方向に延びる面より左側に配置されている。第１の一方側風向板２６ａと第１の他方側風向板２６ｂは、椀形状の水受け手段２２の底面から上方へ突出し、椀形状の水受け手段２２の側面から本体ケース１における吸熱器側へ突出している。
【００３９】
これにより、第１熱交換風路１４を通過した風は、第１の風向板２６である第１の一方側風向板２６ａと第１の他方側風向板２６ｂとによって、風路方向に沿って分割され、第２の熱交換風路の中央の領域の風量の増加を抑えることができる。よって、風量ムラを改善することにより、吸熱器９に均一に空気が流れ、吸熱器９全体を暖めることができるため、熱収縮バランスがよくなる。さらに、熱交換器４の冷却を行う第２熱交換風路１５の温度ムラが改善されるため、熱交換器４の第１熱交換風路１４の冷却が改善される。結果として、除湿性能を向上させることができる。なお、第１の一方側風向板２６ａと第１の他方側風向板２６ｂとの位置は、上記構成において、第１の一方側風向板２６ａと第１の他方側風向板２６ｂとが設けられた場合の除湿量が、第１の一方側風向板２６ａと第１の他方側風向板２６ｂとが設けられていない場合の除湿量より多くなる位置であれば良い。
【００４０】
また、複数の第１の風向板２６は、吸熱器９の下方から除湿経路２１における風下方向へ延び、送風機５の回転軸２８を含み鉛直方向に延びる面に対して対称に配置された第１の一方側風向板２６ａと第１の他方側風向板２６ｂとを有している。
【００４１】
これにより、第１熱交換風路１４を通過した風は、第１の風向板２６である第１の一方側風向板２６ａと第１の他方側風向板２６ｂとによって、風路方向に沿って分割され、第１の一方側風向板２６ａより外側を流れる風量と、第１の他方側風向板２６ｂより外側を流れる風量とが同程度となる。結果として、空気がより均一に吸熱器９に流れ、吸熱器９全体をより均一に暖めることができる。
【００４２】
また、空気吸込口２は、第１の空気吸込口２ａと第２の空気吸込口２ｂとを有している。第１の空気吸込口２ａと第２の空気吸込口２ｂとは、送風機５の回転軸を含み鉛直方向に延びる面に対して対向した本体ケース１の両側面に配置されている。第１の空気吸込口２ａは、本体ケース１の前面側から見て、本体ケース１の右側の側面に配置され、第２の空気吸込口２ｂは、本体ケース１の前面側から見て、本体ケース１の左側の側面に配置されている。これにより、第１の空気吸込口２ａから吸い込まれた空気は、熱交換器４の第１熱交換風路１４の本体ケース１における右側にも流れ易くなり、第２の空気吸込口２ｂから吸い込まれた空気は、熱交換器４の第１熱交換風路１４の本体ケース１における左側にも流れ易くなる。結果として、第２の熱交換風路の中央の領域の風量の増加を抑えることができる。
【００４３】
また、水受け手段２２の上方であり、吸熱器９と本体ケース１との間には、第１熱交換風路１４と吸熱器９を連通する除湿経路２１の一部となる風路カバー２３が配置されている。風路カバー２３の吸熱器９側の面には、吸熱器９側へ突出した複数の第２の風向板２７を有している。複数の第２の風向板２７は、第１の風向板２６の上端から除湿経路２１における風下方向（上方向）へ延び、複数の第１の風向板２６の延長線上に配置されている。複数の第２の風向板２７は、第１の風向板２６の上端から除湿経路２１における風下方向（上方向）へ延び、送風機５の回転軸２８を含み鉛直方向に延びる面に対して実質的に対称に配置された第２の一方側風向板２７ａと第２の他方側風向板２７ｂとを有する。第２の一方側風向板２７ａは、第１の一方側風向板２６ａの延長線上に配置され、第２の他方側風向板２７ｂは、第１の他方側風向板２６ｂの延長線上に配置されている。これにより、第１の風向板２６を通過し分割された風が第２の風向板２７を通過することで、風が中央領域に集中せず、外側の領域の風量を増加させることができる。そのため、吸熱器９全体に通風させることができ、熱収支のバランスを向上させることができ、結果として除湿性能を向上させることができる。
【００４４】
（実施の形態２）
図５は、図１内のＡ−Ａ断面に本発明の特徴の概略を追加した断面図であり、図６は図５内のＣ−Ｃ断面における概略図を示す断面図である。なお、実施の形態１の構成と同様の構成を有するものについては、同一の符号を付してその説明を省略する。実施の形態１と相違する点は、図５、図６に示す第１の風向板２９と第２の風向板３０である。
【００４５】
第１の風向板２９について具体的に説明すると、第１の風向板２９は、水受け手段２２の上面から上方へ突き出し、第１の風向板２９の上端部が吸熱器９の下端部に接触する。さらに、図５および図６に示すように、複数の第１の風向板２９は、吸熱器９の下方から除湿経路２１における風下方向へ延び、送風機５の回転軸２８を含み鉛直方向に延びる面に対して実質的に対称に配置された第１の一方側風向板２９ａと第１の他方側風向板２９ｂとを有している。これにより、吸熱器９で結露した水が第１の風向板２９を伝うことで、風の流れを遮ることなく、結露水を水受け手段２２に誘導することができる。結果として、結露水が流れやすくなる。さらに、熱交換器４を通過した空気を風下方向に分割することで、中央領域の風量の増加を抑え、外側領域の風量を増加させることができる。結果として、風路内の風量ムラを改善することができる。
【００４６】
第２の風向板３０について具体的に説明すると、図５に示すように、水受け手段２２の上方であり、吸熱器９と本体ケース１との間には、第１熱交換風路１４と吸熱器９を連通する除湿経路２１の一部となる風路カバー２３が配置されている。風路カバー２３の吸熱器９側の面には、吸熱器９側へ突出した複数の第２の風向板３０を有している。複数の第２の風向板３０は、第１の風向板２９の上端から除湿経路２１における風下方向（上方向）へ延び、複数の第１の風向板２９の延長線上に配置されている。複数の第２の風向板３０は、吸熱器９の下方から除湿経路２１における風下方向へ延び、送風機５の回転軸２８を含み鉛直方向に延びる面に対して実質的に対称に配置された第２の一方側風向板３０ａと第２の他方側風向板３０ｂとを有している。
【００４７】
これにより、第１の風向板２９により風下方向に分割された空気は、第２の風向板３０により分割されたまま、吸熱器９に空気を送風できる。そのため、第１熱交換風路１４を通った空気が第１の風向板２９と第２の風向板３０を通ることで、風が中央領域に集中することを防ぎ、外側の領域の風量を増加させることができる。結果として、吸熱器９全体に通風させることができるため、熱収支のバランスが向上し、除湿性能を向上させることができる。
【産業上の利用可能性】
【００４８】
本発明に係る除湿装置は、除湿性能の向上を可能とするものであるので、居室空間などで使用される除湿装置等として有用である。
【符号の説明】
【００４９】
１    本体ケース
２    空気吸込口
２ａ    第１の空気吸込口
２ｂ    第２の空気吸込口
３    空気吹出口
４    熱交換器
５    送風機
６    圧縮機
７    放熱器
８    膨張器
９    吸熱器
１０    冷媒配管
１１    伝熱板Ａ
１２    伝熱板Ｂ
１３    リブ
１４    第１熱交換風路
１５    第２熱交換風路
１６    ケーシング部
１７    モータ部
１８    羽根部
１９    吸込口
２０    吐出口
２１    除湿経路
２２    水受け手段
２３    風路カバー
２４    タンク
２５    ドレン孔
２６    第１の風向板
２６ａ    第１の一方側風向板
２６ｂ    第１の他方側風向板
２７    第２の風向板
２７ａ    第２の一方側風向板
２７ｂ    第２の他方側風向板
２８    回転軸
２９    第１の風向板
２９ａ    第１の一方側風向板
２９ｂ    第１の他方側風向板
３０    第２の風向板
３０ａ    第２の一方側風向板
３０ｂ    第２の他方側風向板
【図１】
2020121250.tif 000003
【図２】
2020121250.tif 000004
【図３】
2020121250.tif 000005
【図４】
2020121250.tif 000006
【図５】
2020121250.tif 000007
【図６】
2020121250.tif 000008